(57)【要約】【課題】燃料電池、太陽電池、蓄電池、商用電源の４電源を利用可能とした住宅の電源制御システムを解り易く解説する解説装置を提供する。【解決手段】この解説装置は、各種状況における４電源の稼動状態を画面１０上に模式図で表示する表示部１と、４電源を有する住宅を模した住宅模型２２を備え、各種状況における４電源の稼動状態を住宅模型２２の各部位の点滅によって現出するジオラマ部２と、各種状況における４電源の稼動状態を説明するナレーション部３と、制御部４とを備えている。制御部４は、表示部１において表示させた模式図に示されている４電源の稼動状態を、ジオラマ部２において現出させるとともに、ナレーション部３において説明させるように、表示部１、ジオラマ部２、ナレーション部３を連動させる。【選択図】図１
2014063011.tif 000002
【特許請求の範囲】
【請求項１】
燃料電池、太陽電池、蓄電池、商用電源の４電源を利用可能とした住宅の電源制御システムを解説するための解説装置であって、各種状況における前記４電源の稼動状態を画面（１０）上に模式図で表示する表示部（１）と、前記４電源を有する住宅を模した住宅模型（２２）を備え、各種状況における前記４電源の稼動状態を前記住宅模型（２２）の各部位の点滅によって現出するジオラマ部（２）と、各種状況における前記４電源の稼動状態を説明するナレーション部（３）と、これら表示部（１）、ジオラマ部（２）、ナレーション部（３）の作動を制御する制御部（４）とを備え、前記制御部（４）は、前記表示部（１）において表示させた模式図に示されている前記４電源の稼動状態を、前記ジオラマ部（２）において現出させるとともに、前記ナレーション部（３）において説明させるように、前記表示部（１）、ジオラマ部（２）、ナレーション部（３）を連動させることを特徴とする住宅の電源制御システムの解説装置。
【請求項２】
前記制御部（４）は、前記表示部（１）において模式図を表示させた数秒後に、その模式図に示されている前記４電源の稼動状態を、前記ジオラマ部（２）において現出させる請求項１記載の住宅の電源制御システムの解説装置。
【請求項３】
前記ナレーション部（３）の作動を停止するための操作スイッチ（５２）を備え、前記制御部（４）は、前記操作スイッチ（５２）からの停止信号によって前記表示部（１）と前記ジオラマ部（２）を連動させる請求項１又は２記載の住宅の電源制御システムの解説装置。
【請求項４】
前記ジオラマ部（２）の住宅模型（２２）は、前記４電源を示す点滅可能な電源部位（３０）〜（３３）と、分電盤を示す点滅可能な分電盤部位（３４）と、住宅の屋内外の照明箇所を示す点滅可能な照明部位（３５）と、前記４電源と分電盤とを繋ぐ配線を示す点滅可能な配線部位（３７）とを備えた請求項１乃至３のいずれかに記載の住宅の電源制御システムの解説装置。
【請求項５】
前記電源部位（３０）〜（３３）のうち蓄電池を示す蓄電池部位（３２）は、蓄電量が表示可能とされている請求項４記載の住宅の電源制御システムの解説装置。
【請求項６】
前記ジオラマ部（２）の住宅模型（２２）は、ガレージに収容した電気自動車を示す点滅可能な電気自動車部位（３６）と、電気自動車と分電盤とを繋ぐ配線を示す点滅可能な充電用配線部位（３８）とを備えた請求項４又は５記載の住宅の電源制御システムの解説装置。
【請求項７】
前記ジオラマ部（２）は、前記住宅模型（２２）の背後に立設した背景スクリーン（２３）と、この背景スクリーン（２３）を照明して昼間と夜間を切換演出する照明灯（２５）とを備え、前記背景スクリーン（２３）には、近隣の建物を示す点滅可能な建物部位（４０）が現されている請求項４乃至６のいずれかに記載の住宅の電源制御システムの解説装置。
【請求項８】
前記制御部（４）は、日常時における前記４電源の電源制御を解説する日常時解説モードと、停電、非常時における前記４電源の電源制御を解説する停電、非常時解説モードとを実行可能とした請求項１乃至７のいずれかに記載の住宅の電源制御システムの解説装置。
【発明の詳細な説明】
【技術分野】
【０００１】
この発明は、燃料電池、太陽電池、蓄電池、商用電源の４電源を利用可能とした住宅の電源制御システムを解説するための解説装置に関する。
【背景技術】
【０００２】
近年、出願人は、燃料電池、太陽電池、蓄電池、商用電源の４電源を利用可能とした住宅を提案している。この住宅においては、日常時の昼夜、停電時（商用電源が使用不可）や非常時（商用電源、ガス、水道が使用不可）の昼夜等の各種状況に応じて４電源を効果的に自動切換制御することで、快適性、経済性、安全性に優れた住環境を実現している。
【０００３】
このような住宅の電源制御システム（４電源を自動切換制御するシステム）は、各種状況に応じて４電源の稼動状態を複雑に切り換えることから、各種状況において４電源がどのように連携しているのかイメージし難く、専門知識を持たない住宅購入予定者等にとっては理解し難いものである。
【０００４】
従来より、出願人は、太陽光発電システムを解説するための解説装置については各種提案しているが（例えば特許文献１、２参照）、上記の電源制御システムを解説するための解説装置についてまでは提案していなかった。このため、上記の電源制御システムを住宅購入予定者等に理解してもらう場合、カタログやホームページ等を参考にしながら、上記の電源制御システムについて説明者が口頭で説明する程度に留まっているのが現状であった。
【先行技術文献】
【特許文献】
【０００５】
【特許文献１】特開２００８−１０２３２５号公報
【特許文献２】特開２０００−１７２１６７号公報
【発明の概要】
【発明が解決しようとする課題】
【０００６】
しかしながら、カタログやホームページ等を参考にしながら、上記の電源制御システムについて説明者が口頭で説明するだけでは、電源制御システムについての十分な理解が得られないことがあった。
【０００７】
そこで、この発明は、燃料電池、太陽電池、蓄電池、商用電源の４電源を利用可能とした住宅の電源制御システムを、専門知識を持たない住宅購入予定者等であっても十分に理解することができるように解り易く解説する解説装置の提供を目的とする。
【課題を解決するための手段】
【０００８】
上記課題を解決するため、この発明の解説装置は、燃料電池、太陽電池、蓄電池、商用電源の４電源を利用可能とした住宅の電源制御システムを解説するためのものであって、各種状況における前記４電源の稼動状態を画面１０上に模式図で表示する表示部１と、前記４電源を有する住宅を模した住宅模型２２を備え、各種状況における前記４電源の稼動状態を前記住宅模型２２の各部位の点滅によって現出するジオラマ部２と、各種状況における前記４電源の稼動状態を説明するナレーション部３と、これら表示部１、ジオラマ部２、ナレーション部３の作動を制御する制御部４とを備え、前記制御部４は、前記表示部１において表示させた模式図に示されている前記４電源の稼動状態を、前記ジオラマ部２において現出させるとともに、前記ナレーション部３において説明させるように、前記表示部１、ジオラマ部２、ナレーション部３を連動させることを特徴とする。
【０００９】
具体的に、前記制御部４は、前記表示部１において模式図を表示させた数秒後に、その模式図に示されている前記４電源の稼動状態を、前記ジオラマ部２において現出させるようにしている。
【００１０】
また、前記ナレーション部３の作動を停止するための操作スイッチ５２を備え、前記制御部４は、前記操作スイッチ５２からの停止信号によって前記表示部１と前記ジオラマ部２を連動させるようにしている。
【００１１】
さらに、前記ジオラマ部２の住宅模型２２は、前記４電源を示す点滅可能な電源部位３０〜３３と、分電盤を示す点滅可能な分電盤部位３４と、住宅の屋内外の照明箇所を示す点滅可能な照明部位３５と、前記４電源と分電盤とを繋ぐ配線を示す点滅可能な配線部位３７とを備えている。そして、前記電源部位３０〜３３のうち蓄電池を示す蓄電池部位３２は、蓄電量が表示可能とされている。
【００１２】
さらにまた、前記ジオラマ部２の住宅模型２２は、ガレージに収容した電気自動車を示す点滅可能な電気自動車部位３６と、電気自動車と分電盤とを繋ぐ配線を示す点滅可能な充電用配線部位３８とを備えている。
【００１３】
さらに、前記ジオラマ部２は、前記住宅模型２２の背後に立設した背景スクリーン２３と、この背景スクリーン２３を照明して昼間と夜間を切換演出する照明灯２５とを備え、前記背景スクリーン２３には、近隣の建物を示す点滅可能な建物部位４０が現されている。
【００１４】
そして、前記制御部４は、日常時における前記４電源の電源制御を解説する日常時解説モードと、停電、非常時における前記４電源の電源制御を解説する停電、非常時解説モードとを実行可能としている。
【発明の効果】
【００１５】
この発明の解説装置においては、表示部、ジオラマ部、ナレーション部を連動させて、各種状況における４電源の稼動状態を解り易くイメージしてもらうことができ、専門知識を持たない住宅購入予定者等であっても、４電源を利用可能とした住宅の電源制御システムについての十分な理解を得ることができる。
【００１６】
特に、表示部において模式図を表示させた数秒後に、その模式図に示されている４電源の稼動状態を、ジオラマ部において現出させることで、住宅購入予定者等の注意力を表示部からジオラマ部へとスムーズに促して、表示部において４電源の稼動状態の概要を簡単にイメージしてもらった後に、ジオラマ部において４電源の稼動状態を印象深くイメージしてもらうことができ、理解度を深めることができる。
【００１７】
また、ナレーション部をオンオフ切換可能とすることで、未熟な説明者の場合には、ミスが生じないようにナレーションに説明を任せて、熟練の説明者の場合には、ナレーションの代わりに口頭で説明して、ナレーションでは説明し切れていない情報を適宜追加したり、説明に親しみや温かみを持たせるといったように、説明者の習熟度に応じて使い分けることができ、使用性を高めることができる。
【００１８】
また、ジオラマ部において、住宅模型の電源部位、分電盤部位、照明部位、配線部位、さらには電気自動車部位、充電用配線部位を適宜点滅させて、各種状況における４電源の稼動状態を現出することで、４電源の稼動状態をリアルにイメージしてもらうことができ、理解度をより一層深めることができる。さらに、蓄電量が表示可能な蓄電池部位を用いることで、蓄電池の利用方法を解り易く解説することができる。
【００１９】
さらに、ジオラマ部において、住宅模型の背後に、昼間と夜間の切換演出が可能であって、近隣の建物を示す点滅可能な建物部位が現された背景スクリーンを配置することで、リアル感を高めることができ、理解度をより一層深めることができる。
【００２０】
さらにまた、日常時解説モードと停電、非常時解説モードとを実行可能することで、日常時の電源制御と停電、非常時の電源制御とをシミュレーションすることができ、理解度をより一層深めることができる。
【図面の簡単な説明】
【００２１】
【図１】この発明の一実施形態に係る解説装置の正面図である。
【図２】同じくその縦断面図である。
【図３】同じくその横断面図である。
【図４】ジオラマ部の正面図である。
【図５】解説装置の制御ブロック図である。
【図６】解説モード実行時の表示部及びジオラマ部の状態を示す図である。
【図７】解説モード実行時の表示部及びジオラマ部の状態を示す図である。
【図８】解説モード実行時の表示部及びジオラマ部の状態を示す図である。
【図９】解説モード実行時の表示部及びジオラマ部の状態を示す図である。
【図１０】解説モード実行時の表示部及びジオラマ部の状態を示す図である。
【図１１】解説モード実行時の表示部及びジオラマ部の状態を示す図である。
【図１２】解説モード実行時の表示部及びジオラマ部の状態を示す図である。
【図１３】解説モード実行時の表示部及びジオラマ部の状態を示す図である。
【図１４】解説モード実行時の表示部及びジオラマ部の状態を示す図である。
【図１５】解説モード実行時の表示部及びジオラマ部の状態を示す図である。
【図１６】解説モード実行時の表示部及びジオラマ部の状態を示す図である。
【図１７】解説モード実行時の表示部及びジオラマ部の状態を示す図である。
【図１８】解説モード実行時の表示部及びジオラマ部の状態を示す図である。
【図１９】解説モード実行時の表示部及びジオラマ部の状態を示す図である。
【図２０】解説モード実行時の表示部及びジオラマ部の状態を示す図である。
【図２１】解説モード実行時の表示部及びジオラマ部の状態を示す図である。
【図２２】解説モード実行時の表示部及びジオラマ部の状態を示す図である。
【図２３】解説モード実行時の表示部及びジオラマ部の状態を示す図である。
【図２４】解説モード実行時の表示部及びジオラマ部の状態を示す図である。
【図２５】解説モード実行時の表示部及びジオラマ部の状態を示す図である。
【図２６】解説モード実行時の表示部及びジオラマ部の状態を示す図である。
【図２７】解説モード実行時の表示部及びジオラマ部の状態を示す図である。
【図２８】解説モード実行時の表示部及びジオラマ部の状態を示す図である。
【図２９】解説モード実行時の表示部及びジオラマ部の状態を示す図である。
【発明を実施するための形態】
【００２２】
以下、この発明の実施形態を図面に基づいて詳細に説明する。この発明の一実施形態に係る解説装置は、住宅を展示した住宅展示施設、住宅の性能や設備を体験する住宅体験施設等に設けられて、これら住宅展示施設、住宅体験施設等に訪れた住宅購入予定者等に対して、燃料電池、太陽電池、蓄電池、商用電源の４電源を利用可能とした住宅の電源制御システムを解説するためのものである。
【００２３】
この解説装置は、図１乃至図３に示すように、施設館内の一角に設置されていて、表示部１と、ジオラマ部２と、ナレーション部３と、これら表示部１、ジオラマ部２、ナレーション部３の作動を制御する制御部４とを備えている。
【００２４】
表示部１は、図１及び図２に示すように、例えば施設館内の天井面に吊り下げ支持されていて、日常時の昼夜、停電時（商用電源が使用不可）や非常時（商用電源、ガス、水道が使用不可）の昼夜等の各種状況における４電源の稼動状態を、画面１０上に模式図で表示するようになっている。なお、この表示部１においては、４電源の稼動状態を示す模式図以外に、昼間を示す太陽マーク、夜間を示す月マーク、その他の簡易な補足説明を、画面１０上に選択的に表示するようになっている。
【００２５】
ジオラマ部２は、図１乃至図３に示すように、例えば施設館内の壁面から張り出した一対の側壁２０間に跨るように備え付けられていて、内部に各種機器を収容した架台２１と、この架台２１上に設置された住宅模型２２と、施設館内の床面から天井面に跨るようにして住宅模型２２の背後に立設した背景スクリーン２３と、施設館内の天井面から垂下した目隠しパネル２４の裏側に設置した照明灯２５とを備えている。
【００２６】
住宅模型２２は、図４に示すように、４電源を有する住宅を模したものであって、表示部１の直下に配置されている。この住宅模型２２の正面側には、４電源を示す電源部位（燃料電池部位３０、太陽電池部位３１、蓄電池部位３２、商用電源部位３３）と、分電盤を示す分電盤部位３４と、住宅の屋内外の照明箇所を示す照明部位３５と、ガレージに収容した電気自動車を示す自動車模型からなる電気自動車部位３６と、４電源と分電盤とを繋ぐ配線を示す配線部位３７と、電気自動車と分電盤とを繋ぐ充電用配線を示す充電用配線部位３８と、燃料電池と水廻り設備とを繋ぐ給湯用配管を示す給湯用配管部位３９とが作り込まれている。なお、住宅模型２２の背面側は、垂直に切り落された状態となっている。
【００２７】
具体的に、燃料電池部位３０は燃料電池模型からなり、太陽電池部位３１は太陽電池パネル模型からなり、蓄電池部位３２は蓄電池模型からなり、商用電源部位３３は電柱模型からなり、分電盤部位３４は電飾面からなり、照明部位３５はリビング、寝室、階段室、洗面室、バスルーム、玄関等を現した空間部分からなり、配線部位３７、充電用配線部位３８、給湯用配管部位３９は電飾ラインからなる。
【００２８】
これら各部位３０〜３９には、ＬＥＤ等の発光体が設けられていて、これにより各部位３０〜３９は、点滅可能（点灯消灯可能）となっている。なお、蓄電池部位３２においては、蓄電量が表示可能とされている。すなわち、複数の電飾面が上下方向に並べて設けられていて、点灯した電飾面の数によって蓄電量が一目で把握できるようになっている。また、配線部位３７、充電用配線部位３８の発光色（例えば白色系）と、給湯用配管部位３９の発光色（例えば暖色系）とを異なるようにして、配線と配管とを一目で区別できるようになっている。
【００２９】
背景スクリーン２３には、近隣の住宅や中高層ビル等の建物を示す複数の建物部位４０が現されている。これら建物部位４０のうちの住宅を示す建物部位４０は、レリーフパネルによって形成されていて、立体感や遠近感を演出している。また、建物部位４０には、ＬＥＤ等の発光体が設けられていて、これにより建物部位４０は、点滅可能（点灯消灯可能）となっている。
【００３０】
照明灯２５は、調光式のＬＥＤ等からなり、背景スクリーン２３を照明して昼間と夜間を切換演出するようになっている。すなわち、照明灯２５が点灯して背景スクリーン２３を明るく照らすことで、昼間を演出するとともに、照明灯２５が消灯して背景スクリーン２３を暗くすることで、夜間を演出するようになっている。
【００３１】
上記のジオラマ部２は、日常時の昼夜、停電時（商用電源が使用不可）や非常時（商用電源、ガス、水道が使用不可）の昼夜等の各種状況における４電源の稼動状態を、住宅模型２２の各部位３０〜３９の点滅、背景スクリーン２３の建物部位４０の点滅、背景スクリーン２３における昼間と夜間を切換演出によって現出するようになっている。なお、ジオラマ部２の正面側には、ハーフミラーガラス４１が張り付けられて、ジオラマ部２の背面側（背景スクリーン２３の裏側）には、人が出入り可能なバックヤード４２が設けられている。
【００３２】
ナレーション部３は、図１乃至図３に示すように、例えば可動式の操作ユニット５０に設けられていて、日常時の昼夜、停電時（商用電源が使用不可）や非常時（商用電源、ガス、水道が使用不可）の昼夜等の各種状況における４電源の稼動状態を、音声出力によって説明するようになっている。具体的には、記録媒体に記録されている説明用ナレーションを再生して、スピーカから音声出力するようになっている。なお、ナレーション部３は、操作ユニット５０に必ずしも設ける必要はなく、例えば施設館内の天井面等に設けるようにしても良い。
【００３３】
制御部４は、図１乃至図３に示すように、例えば可動式の操作ユニット５０の内部に収容されている。操作ユニット５０には、表示部１、ジオラマ部２、ナレーション部３の作動を開始及び停止するための第１操作スイッチ５１と、ナレーション部３の作動のみを停止するための第２操作スイッチ５２とが設けられている。そして、制御部４には、図５に示すように、表示部１、ジオラマ部２、ナレーション部３、第１操作スイッチ５１、第２操作スイッチ５２が電気的に接続されている。なお、制御部４は、操作ユニット５０に必ずしも設ける必要はなく、例えばジオラマ部２の架台２１内に設けるようにしても良い。
【００３４】
この制御部４は、第１操作スイッチ５１からの開始信号によって、表示部１、ジオラマ部２、ナレーション部３を連動させて、電源制御システムの概略を解説する概略解説モードと、日常時における４電源の電源制御を解説する日常時解説モードと、停電時（商用電源が使用不可）、非常時（商用電源、ガス、水道が使用不可）における４電源の電源制御を解説する停電、非常時解説モードとを実行するようになっている。
【００３５】
表示部１、ジオラマ部２、ナレーション部３の連動に際しては、表示部１において表示させた模式図に示されている４電源の稼動状態を、ジオラマ部２において現出させるとともに、ナレーション部３において説明させるようにしている。特に、表示部１において模式図を表示させた数秒後（例えば２秒〜５秒後）に、その模式図に示されている４電源の稼動状態を、ジオラマ部２において現出させており、これによって住宅購入予定者等の注意力を表示部１からジオラマ部２へとスムーズに促して、表示部１において４電源の稼動状態の概要を簡単にイメージしてもらった後に、ジオラマ部２において４電源の稼動状態をリアルに印象深くイメージしてもらうことができるようになっている。
【００３６】
また、制御部４は、第１操作スイッチ５１からの停止信号（解説モード実行中に第１操作スイッチ５１を再度押すことによって発せられる信号）によって、表示部１、ジオラマ部２、ナレーション部３の作動を停止させて、解説を途中で止めるようになっている。なお、この停止状態から第１操作スイッチ５１を再度押すことで、解説を引き続き実行するようになっている。
【００３７】
さらに、制御部４は、第２操作スイッチ５２からの停止信号によって、ナレーション部３の作動を停止して、表示部１とジオラマ部２とを連動させて、各解説モードを実行するようになっている。なお、この場合、ナレーションの代わりに説明者が口頭で説明することになる。
【００３８】
次に、上記構成の解説装置による電源制御システムの解説手順の一例を、図６〜図２９に基づいて説明する。なお、図において、薄墨部分は点灯部分を示している。解説開始前の準備として、ジオラマ部２における各種点灯が明確に視認できるように、施設館内を暗い状態にする。そして、第１操作スイッチ５１を押すと、概略解説モード、日常時解説モード、停電、非常時解説モードを連続して実行する。
【００３９】
概略解説モードが開始すると、ナレーション部３において「この住宅の電源制御システムは、４つの電源をコントロールして、日常時と停電、非常時の２つのモードで自動運転を行います。」といった説明がなされて、表示部１及びジオラマ部２は、図６に示す状態となる。
【００４０】
続いて、ナレーション部３において「４つある電源の１つ目は燃料電池、２つ目は太陽電池、３つ目は蓄電池、そして４つ目が商用電源すなわち電力会社から購入する電力です。」といった説明がなされて、表示部１及びジオラマ部２は、図７に示す状態となる。この場合、ジオラマ部２において、燃料電池部位３０、太陽電池部位３１、蓄電池部位３２、商用電源部位３３が順次点灯するとともに、配線部位３７及び分電盤部位３４が点灯して、各電源部位３０〜３３から分電盤部位３４へ向けて電気が流れている様子を示す。
【００４１】
次に、日常時解説モードに移行して、ナレーション部３において「日常時には、光熱費を抑える経済性優先モードで自動運転を行います。」といった説明がなされて、表示部１及びジオラマ部２は、図８に示す状態となる。そして、ナレーション部３において「日常時の日中は、燃料電池で発電した電力を優先的に使い、足りない分を太陽電池が補います。」といった説明がなされて、表示部１及びジオラマ部２は、図９に示す状態となる。この場合、ジオラマ部２において、燃料電池部位３０、太陽電池部位３１、蓄電池部位３２が点灯するとともに、配線部位３７及び分電盤部位３４が点灯して、燃料電池部位３０及び太陽電池部位３１から分電盤部位３４へ向けて電気が流れている様子を示す。また、いくつかの照明部位３５が点灯するとともに、照明灯２５が点灯して、背景スクリーン２３において昼間を演出する。
【００４２】
続いて、ナレーション部３において「そして、太陽電池で発電した電力の余った分は、電力会社に売ることができるので、経済的に有効です。」といった説明がなされて、表示部１及びジオラマ部２は、図１０に示す状態となる。この場合、ジオラマ部２において、商用電源部位３３が点灯して、分電盤部位３４から商用電源部位３３へ向けて電気が流れている様子を示す。
【００４３】
続いて、ナレーション部３において「実は、電力会社に売った電力は、近隣の住宅や学校、商業施設などに送られているのです。つまり、街の発電所のように、電力不足の社会に役立つ優れたシステムです。」といった説明がなされて、表示部１及びジオラマ部２は、図１１に示す状態となる。この場合、ジオラマ部２において、建物部位４０が点灯して、近隣に電力が送られている様子を示す。
【００４４】
続いて、ナレーション部３において「もちろん、燃料電池や太陽電池で発電した電力を、電気自動車の充填に使うこともできます。」といった説明がなされて、表示部１及びジオラマ部２は、図１２に示す状態となる。この場合、ジオラマ部２において、電気自動車部位３６及び充電用配線部位３８が点灯して、分電盤部位３４から電気自動車部位３６へ向けて電気が流れている様子を示す。
【００４５】
続いて、ナレーション部３において「太陽電池が発電できない日没後は、燃料電池と蓄電池が電力をまかないます。」といった説明がなされて、表示部１及びジオラマ部２は、図１３に示す状態となる。この場合、ジオラマ部２において、燃料電池部位３０及び蓄電池部位３２が点灯するとともに、配線部位３７及び分電盤部位３４が点灯して、燃料電池部位３０及び蓄電池部位３２から分電盤部位３４へ向けて電気が流れている様子を示す。また、いくつかの照明部位３５が点灯するとともに、照明灯２５が消灯して、背景スクリーン２３において夜間を演出する。
【００４６】
続いて、ナレーション部３において「蓄電池は、いざという非常時に備え、蓄電量の半分は使わずに残すよう、コントロールされています。」といった説明がなされて、表示部１及びジオラマ部２は、図１４に示す状態となる。この場合、ジオラマ部２において、蓄電池部位３２の半分の電飾面が点灯して、蓄電量が半分残された様子を示す。
【００４７】
続いて、ナレーション部３において「使用電力が多くなる夜間など、燃料電池と蓄電池だけでは電力が足りない時に、初めて、電力会社からの電力を購入します。」といった説明がなされて、表示部１及びジオラマ部２は、図１５に示す状態となる。この場合、ジオラマ部２において、商用電源部位３３が点灯して、商用電源部位３３から分電盤部位３４へ向けて電気が流れている様子を示す。また、すべての照明部位３５が点灯して、使用電力が多くなっている様子を示す。
【００４８】
続いて、ナレーション部３において「蓄電池は、電気料金が安くなる深夜１１時を過ぎると充電が始まり、朝５時までに充電を完了します。」といった説明がなされて、表示部１及びジオラマ部２は、図１６に示す状態となる。この場合、ジオラマ部２において、商用電源部位３３から分電盤部位３４を介して蓄電池部位３２へ電気が流れて、蓄電池部位３２のすべての電飾面が点灯して、蓄電が完了した様子を示す。
【００４９】
続いて、ナレーション部３において「もちろん、電気自動車の充電も深夜電力を利用するのが経済的です。」といった説明がなされて、表示部１及びジオラマ部２は、図１７に示す状態となる。この場合、ジオラマ部２において、電気自動車部位３６及び充電用配線部位３８が点灯して、商用電源部位３３から分電盤部位３４を介して電気自動車部位３６へ電気が流れている様子を示す。
【００５０】
次に、停電、非常時解説モードに移行して、ナレーション部３において「停電時の場合、自立生活優先モードで自動運転を行います。」といった説明がなされて、表示部１及びジオラマ部２は、図１８に示す状態となる。そして、ナレーション部３において「災害時、突然の停電で、電力会社からの供給がストップしても」といった説明がなされて、表示部１及びジオラマ部２は、図１９に示す状態となる。この場合、ジオラマ部２において、蓄電池部位３２のみが点灯する。さらに、ナレーション部３において「５秒後には、あらかじめ決めておいた部屋の電力が自動復旧。３電池が暮らしの電力をまかない、普段に近い自立した生活を維持できるので安心です。」といった説明がなされて、表示部１及びジオラマ部２は、図２０に示す状態となる。この場合、ジオラマ部２において、配線部位３７、分電盤部位３４、いくつかの照明部位３５が点灯して、蓄電池部位３２から分電盤部位３４へ向けて電気が流れて、部屋の電力が復旧した様子を示す。
【００５１】
続いて、ナレーション部３において「停電時の日中は、水道とガスが使えれば蓄電池の電力を使って燃料電池を動かし、発電した電力を優先的に使います。」といった説明がなされて、表示部１及びジオラマ部２は、図２１に示す状態となる。この場合、ジオラマ部２において、燃料電池部位３０が点灯して、蓄電池部位３２から分電盤部位３４を介して燃料電池部位３０へ電気が流れている様子を示した後、燃料電池部位３０から分電盤部位３４へ向けて電気が流れている様子に切り換わる。また、照明灯２５が点灯して、背景スクリーン２３において昼間を演出する。
【００５２】
続いて、ナレーション部３において「そして、燃料電池の電力だけで不足する時には、太陽電池が補います。」といった説明がなされて、表示部１及びジオラマ部２は、図２２に示す状態となる。この場合、ジオラマ部２において、太陽電池部位３１が点灯して、太陽電池部位３１から分電盤部位３４へ向けて電気が流れている様子を示す。
【００５３】
続いて、ナレーション部３において「日中は、太陽電池で発電した電力が余るので、その電力を蓄電池に充電し、夜間に備えます。」といった説明がなされて、表示部１及びジオラマ部２は、図２３に示す状態となる。この場合、ジオラマ部２において、蓄電池部位３２のすべての電飾面が点灯して、蓄電が完了した様子を示す。
【００５４】
続いて、ナレーション部３において「また、電気自動車も充電ができるので、停電時も大切な機動力となる電気自動車を使うことができます。」といった説明がなされて、表示部１及びジオラマ部２は、図２４に示す状態となる。この場合、ジオラマ部２において、電気自動車部位３６及び充電用配線部位３８が点灯して、分電盤部位３４から電気自動車部位３６へ向けて電気が流れている様子を示す。
【００５５】
続いて、ナレーション部３において「太陽電池が発電できない日没後は、燃料電池で発電した電力を優先的に使い、不足した分を蓄電池が補います。」といった説明がなされて、表示部１及びジオラマ部２は、図２５に示す状態となる。この場合、ジオラマ部２において、燃料電池部位３０及び蓄電池部位３２が点灯するとともに、配線部位３７及び分電盤部位３４が点灯して、燃料電池部位３０及び蓄電池部位３２から分電盤部位３４へ向けて電気が流れている様子を示す。また、いくつかの照明部位３５が点灯するとともに、照明灯２５が消灯して、背景スクリーン２３において夜間を演出する。
【００５６】
続いて、ナレーション部３において「停電時でも、水道やガスが使えれば、燃料電池がつくったお湯で、お風呂に入ることもできます。」といった説明がなされて、表示部１及びジオラマ部２は、図２６に示す状態となる。この場合、ジオラマ部２において、給湯用配管部位３９が点灯して、燃料電池部位３０から水廻り設備部位へ向けてお湯が流れている様子を示す。なお、給湯用配管部位３９の発光色は暖色系となっていて、配線部位３７の発光色の白色系とは異なっていることから、お湯の流れと電気の流れが混同することはない。
【００５７】
続いて、ナレーション部３において「そして、電気、ガス、水道の供給がすべて止まってしまった非常時でも、」といった説明がなされて、表示部１及びジオラマ部２は、図２７に示す状態となる。そして、ナレーション部３において「日中は、太陽電池で発電した電力を使うことができます。」といった説明がなされて、表示部１及びジオラマ部２は、図２８に示す状態となる。この場合、ジオラマ部２において、太陽電池部位３１及び蓄電池部位３２が点灯するとともに、配線部位３７及び分電盤部位３４が点灯して、太陽電池部位３１から分電盤部位３４へ向けて電気が流れている様子を示す。また、いくつかの照明部位３５が点灯するとともに、照明灯２５が点灯して、背景スクリーン２３において昼間を演出する。さらに、ナレーション部３において「さらに、太陽電池の余った電力は蓄電池に充電し、夜間も、電力を使用することができます。」といった説明がなされて、表示部１及びジオラマ部２は、図２９に示す状態となる。この場合、ジオラマ部２において、蓄電池部位３２から分電盤部位３４へ向けて電気が流れている様子を示す。また、照明灯２５が消灯して、背景スクリーン２３において夜間を演出する。
【００５８】
最後に、ナレーション部３において「このように、電源制御システムは、３電池によって万が一の時にも暮らしを守る、安心のシステムです。」といった説明がなされて、表示部１、ジオラマ部２、ナレーション部３の作動が停止して、解説装置による解説が終了する。
【００５９】
上記においては、表示部１、ジオラマ部２、ナレーション部３の連動による電源制御システムの解説手順の一例を示したが、第２操作スイッチ５２を押すことで、表示部１とジオラマ部２のみを連動させて、ナレーションの代わりに説明者が口頭で説明しながら、電源制御システムを解説しても良い。
【００６０】
以上に、この発明の実施形態について説明したが、この発明は、上記実施形態に限定されるものではなく、この発明の範囲内で種々変更して実施することが可能である。
【符号の説明】
【００６１】
１・・表示部、２・・ジオラマ部、３・・ナレーション部、４・・制御部、１０・・表示部の画面、２２・・住宅模型、２３・・背景スクリーン、２５・・照明灯、３０・・燃料電池部位、３１・・太陽電池部位、３２・・蓄電池部位、３３・・商用電源部位、３４・・分電盤部位、３５・・照明部位、３６・・電気自動車部位、３７・・配線部位、３８・・充電用配線部位、４０・・建物部位、５２・・操作スイッチ（第２操作スイッチ）
【図１】
2014063011.tif 000003
【図２】
2014063011.tif 000004
【図３】
2014063011.tif 000005
【図４】
2014063011.tif 000006
【図５】
2014063011.tif 000007
【図６】
2014063011.tif 000008
【図７】
2014063011.tif 000009
【図８】
2014063011.tif 000010
【図９】
2014063011.tif 000011
【図１０】
2014063011.tif 000012
【図１１】
2014063011.tif 000013
【図１２】
2014063011.tif 000014
【図１３】
2014063011.tif 000015
【図１４】
2014063011.tif 000016
【図１５】
2014063011.tif 000017
【図１６】
2014063011.tif 000018
【図１７】
2014063011.tif 000019
【図１８】
2014063011.tif 000020
【図１９】
2014063011.tif 000021
【図２０】
2014063011.tif 000022
【図２１】
2014063011.tif 000023
【図２２】
2014063011.tif 000024
【図２３】
2014063011.tif 000025
【図２４】
2014063011.tif 000026
【図２５】
2014063011.tif 000027
【図２６】
2014063011.tif 000028
【図２７】
2014063011.tif 000029
【図２８】
2014063011.tif 000030
【図２９】
2014063011.tif 000031